(57)【特許請求の範囲】
【請求項１】
梁と、柱と、屋根と、平行連結具と、交差連結具とを備え、梁は、柱に横架してあり、屋根は、桁を有しており、平行連結具及び交差連結具は、梁の長手方向の任意の位置に取付可能であり、梁と桁とを連結してあるものであって、平行連結具により梁と桁が平行な向きに連結する場合と、交差連結具により梁と桁が平面視して交差する向きに連結する場合を選択自在であることを特徴とする組立建物。
【請求項２】
梁と、柱と、複数の屋根と、平行連結具と、交差連結具とを備え、梁は、柱に横架してあり、屋根は、桁を有しており、平行連結具及び交差連結具は、梁の長手方向の任意の位置に取付可能であり、梁と桁とを連結してあるものであって、少なくとも一つの屋根は、平行連結具により梁と桁が平行な向きに連結してあり、少なくとも一つの屋根は、交差連結具により梁と桁が平面視して交差する向きに連結してあることを特徴とする組立建物。
【発明の詳細な説明】
【技術分野】
【０００１】
本発明は、柱と、柱に横架した梁と、桁を有する屋根とを備え、梁から桁を吊り下げた構造又は梁の上に桁を載置して連結した構造の組立建物に関する。
【背景技術】
【０００２】
従来、カーポート、テラス、バルコニーなどの組立建物は、特許文献１に示すように、柱と、柱に横架した梁と、屋根とを備え、屋根は軒に桁を有していて、梁から桁を吊り下げるか、または梁の上に桁を載置した構造となっている。そして何れの場合においても、梁と桁とは平面視して交差している。
【先行技術文献】
【特許文献】
【０００３】
【特許文献１】特開２００２−２５６６２３号公報
【発明の概要】
【発明が解決しようとする課題】
【０００４】
ところで、組立建物のより多様な設置パターンを実現するために、梁に対して桁を平行にして屋根を取り付けたいというニーズがある。しかし、特許文献１の組立建物では、梁に対して桁を平行にして連結することはできない。また、そのために梁や桁の構造を変更することは製造コストの上昇につながるため、従来の梁や桁を用いて、梁に対して桁を平行にして連結できる組立建物が求められていた。
【０００５】
本発明は、上記事情を鑑みたものであり、梁から屋根の桁を吊り下げた構造又は梁の上に屋根の桁を載置した構造であって、梁と桁が平行な向きに連結する場合と、梁と桁が平面視して交差する向きに連結する場合を選択自在な組立建物を提供することを目的とする。
【課題を解決するための手段】
【０００６】
本発明のうち請求項１の発明は、梁と、柱と、屋根と、平行連結具と、交差連結具とを備え、梁は、柱に横架してあり、屋根は、桁を有しており、平行連結具及び交差連結具は、梁の長手方向の任意の位置に取付可能であり、梁と桁とを連結してあるものであって、平行連結具により梁と桁が平行な向きに連結する場合と、交差連結具により梁と桁が平面視して交差する向きに連結する場合を選択自在であることを特徴とする。
【０００７】
本発明のうち請求項２の発明は、梁と、柱と、複数の屋根と、平行連結具と、交差連結具とを備え、梁は、柱に横架してあり、屋根は、桁を有しており、平行連結具及び交差連結具は、梁の長手方向の任意の位置に取付可能であり、梁と桁とを連結してあるものであって、少なくとも一つの屋根は、平行連結具により梁と桁が平行な向きに連結してあり、少なくとも一つの屋根は、交差連結具により梁と桁が平面視して交差する向きに連結してあることを特徴とする。
【発明の効果】
【０００８】
本発明のうち請求項１の発明によれば、平行連結具と交差連結具とを適宜選択して使用することにより、梁と桁が平行な向きと、梁と桁が平面視して交差する向きの何れの向きでも連結することができる。
【０００９】
本発明のうち請求項２の発明によれば、一つの組立建物において、複数の屋根を異なる向きに配置することが可能であり（たとえば、二つの屋根を平面視Ｌ形に配置するなど）、敷地や隣接する建築物などの条件に応じた様々な設置パターンを実現できる。従来、複数の屋根を異なる向きに配置する場合には複数の組立建物を併設するしかなかったが、本発明によれば同じ梁に複数の屋根を異なる向きに取り付けられるので、柱の本数が少なくなり、使い勝手がよい。
【図面の簡単な説明】
【００１０】
【図１】組立建物の平面図である（第一実施形態）。
【図２】（ａ）は図１のＡ−Ａ線断面図、（ｂ）は図１のＢ−Ｂ線断面図である。
【図３】組立建物の正面図である（第一実施形態）。
【図４】（ａ）は梁と桁の平行連結部分の側面図であり、（ｂ）はその分解図である（第一実施形態）。
【図５】平行連結部分の正面図である（第一実施形態）。
【図６】平行連結部分の平面図である（第一実施形態）。
【図７】梁と桁の交差連結部分の正面図である（第一実施形態）。
【図８】交差連結部分の平面図である（第一実施形態）。
【図９】組立建物の平面図である（第二実施形態）。
【図１０】（ａ）は図９のＡ−Ａ線断面図、（ｂ）は図９のＢ−Ｂ線断面図である。
【図１１】組立建物の正面図である（第二実施形態）。
【図１２】梁と桁の平行連結部分の側面図である（第二実施形態）。
【図１３】平行連結部分の平面図である（第二実施形態）。
【図１４】梁と桁の交差連結部分の側面図である（第二実施形態）。
【図１５】交差連結部分の平面図である（第二実施形態）。
【図１６】屋根の配置パターンの例示図である。
【発明を実施するための形態】
【００１１】
以下、本発明の実施の形態を図面に基づいて説明する。本発明の組立建物は種々の用途に用いられるが、ここではカーポートの場合を示す。この組立建物の第一実施形態は、図１〜図３に示すように、平行に配置した二本の梁１と、二枚の屋根３とを備えており、それぞれの梁１は両端に柱２を連結して門形に組んである。二枚の屋根３は同じものであって、両側の軒に桁６を有しており、一方の屋根３（平行連結屋根３ａ）は梁１と桁６が平行な向きに、他方の屋根３（交差連結屋根３ｂ）は梁１と桁６が平面視して直交する向きにして、二枚の屋根３を略Ｌ字形に配置してあり、吊下部材８によって梁１から桁６を吊り下げて連結してある。以下、梁１と桁６の連結部分について詳述する。
【００１２】
まず、梁１と、平行連結屋根３ａの桁６の連結部分について説明する。この場合、梁１と桁６とが平行になっており、吊下部材８を四箇所に設けてある（図１）。図４〜図６に示すように、桁６は吊下部材８により梁１から吊り下げてあり、吊下部材８と梁１とは平行連結具４（平行連結梁側固定具４ａ）によって連結してあり、吊下部材８と桁６とは桁側固定具９によって連結してある。吊下部材８は、垂直アーム８１と、傾斜アーム８２からなる。垂直アーム８１は、逆Ｕ字形で、梁１から桁６に向けて垂直に設けてあり、傾斜アーム８２は、略台形で、梁１から桁６に向けて桁６の短手方向に傾斜させて設けてある。
【００１３】
平行連結梁側固定具４ａは、平板状の基部４１と、把持部４２とを有している。基部４１は梁１の短手方向に分割されており、それぞれの基部４１には、梁１の短手方向に延びるボルト挿通孔４３を形成してある。把持部４２は、分割されたそれぞれの基部４１の、梁１の側面側端部に設けてあって、基部４１の端部から略水平方向に突出する受部４２ａと、受部４２ａを側方から覆うカバー材４２ｂからなる。さらに、基部４１の端部からは上方に向けて垂直片４４が延びている。一方、梁１の下面には、長手方向の全長にわたって溝状の梁下面取付部１１を形成してある。この梁下面取付部１１に略矩形の裏板４５を係止させ、平行連結梁側固定具４ａの基部４１を梁１の下面に当接させて、ボルトをボルト挿通孔４３に挿入して裏板４５と連結している。この際、垂直片４４は梁１の側面に当接している。そして、受部４２ａに垂直アーム８１及び傾斜アーム８２の上端部分を引っ掛けて、側方からカバー材４２ｂで覆い、カバー材４２ｂを、垂直片４４を貫通して梁１の側面にネジ止めしてある。なお、平行連結梁側固定具４ａは、梁１の長手方向の任意の位置に取り付けることができる。また、基部４１が分割されており、かつ基部４１のボルト挿通孔４３が長孔になっているから、平行連結梁側固定具４ａは短手方向幅が異なる種々の梁１に取り付けることができる。
【００１４】
桁側固定具９は、三つ一組で、桁６の長手方向に並べて用いている。それぞれの桁側固定具９は、本体９１に、桁６の長手方向に貫通する取付孔９２を有しており、両側の桁側固定具９の取付孔９２に垂直アーム８１の下端部分を挿入してある。さらに、中央の桁側固定具９の上面に傾斜アーム８２の下端部分が当接し、その上から被覆材９３を取り付けて桁側固定具９と傾斜アーム８２を連結している。桁側固定具９の下端には鉤状の係合部９４を形成してあり、桁６の長手方向の全長にわたって設けた被係合部６１に係合する。さらに、桁側固定具９は裏板９５を有し、また桁６の上面には長手方向の全長にわたって溝状の桁上面取付部６２が形成してあり、裏板９５が桁上面取付部６２に係止されていて、本体９１と裏板９５とをボルト止めしてある。なお、桁側固定具９は、桁６の長手方向の任意の位置に取り付けることができる。
【００１５】
このように、平行連結梁側固定具４ａは、梁１の長手方向の任意の位置に取り付けることができ、また桁側固定具９は、桁６の長手方向の任意の位置に取り付けることができるので、平行連結屋根３ａは、梁１の長手方向の任意の位置に取りつけることができる。
【００１６】
次に、梁１と、交差連結屋根３ｂの桁６の連結部分について説明する。この場合、梁１と桁６とが平面視して直交しており、吊下部材８を四箇所に設けてある（図１）。図７及び図８に示すように、桁６は吊下部材８により梁１から吊り下げてあり、吊下部材８と梁１とは交差連結具５（交差連結梁側固定具５ａ）によって連結してあり、吊下部材８と桁６とは桁側固定具９によって連結してある。吊下部材８は、平行連結屋根３ａに用いたものと同じものであり、垂直アーム８１と傾斜アーム８２からなる。また、桁側固定具９も、平行連結屋根３ａに用いたものと同じである。
【００１７】
交差連結梁側固定具５ａは、二つ一組のもので、略矩形の裏板５１と、略半円形状の保持部材５２と、円形の受材５３からなり、裏板５１と受材５３で垂直アーム８１と傾斜アーム８２それぞれの上端部分を上下から挟み、さらに二つの保持部材５２でそれぞれの上端部分を水平方向から挟んで、裏板５１、保持部材５２及び受材５３を貫通してボルト止めしてある。そして、裏板５１が梁下面取付部１１に係止されている。なお、交差連結梁側固定具５ａは、梁１の長手方向の任意の位置に取り付けることができる。また、図８に示すように、保持部材５２には円弧状のボルト挿通孔５４を形成してあり、このボルト挿通孔５４の範囲で桁６に対して梁１を傾斜させて連結できる。
【００１８】
このように、交差連結梁側固定具５ａは、梁１の長手方向の任意の位置に取り付けることができ、また桁側固定具９は、桁６の長手方向の任意の位置に取り付けることができるので、交差連結屋根３ｂは、水平方向の任意の位置に取り付けることができる。さらに、交差連結屋根３ｂは梁１に対して平面視して傾斜させて取り付けることもできる。
【００１９】
以上のように、平行連結屋根と交差連結屋根のそれぞれの連結部分において、異なる部材は平行連結具（平行連結梁側固定具）と交差連結具（交差連結梁側固定具）のみであり、それ以外はすべて共通の部材が用いられている。よって、平行連結具と交差連結具とを適宜選択して使用することにより、梁と桁が平行な向きと、梁と桁が平面視して交差する向きの何れの向きでも連結することができる。また、本実施形態のように、同じ梁に複数の屋根を異なる向きに取り付けることもできる。そして、垂直アームと傾斜アームとを有する吊下部材を用いることで構造が特に強固になっており、上述の平行連結梁側固定具及び交差連結梁側固定具を用いることで、この吊下部材を、梁と桁が平行な向きと、梁と桁が平面視して交差する向きの何れの向きにおいても使用することができる。
【００２０】
次に、本発明の組立建物の第二実施形態について説明する。第二実施形態は、図９〜図１１に示すように、平行に配置した二本の梁１と、二枚の屋根３とを備えており、それぞれの梁１は両端に柱２を連結して門形に組んである。二枚の屋根３は同じものであって、両側の軒に設けた桁６と、桁６に直交する垂木７とを有しており、一方の屋根３（平行連結屋根３ａ）は梁１と桁６が平行な向きに、他方の屋根３（交差連結屋根３ｂ）は梁１と桁６が平面視して直交する向きにして、二枚の屋根３を略Ｌ字形に配置してあり、梁１の上に桁６を載置して、平行連結具４及び交差連結具５により連結してある。以下、梁１と桁６の連結部分について詳述する。
【００２１】
まず、梁１と、平行連結屋根３ａの桁６の連結部分について説明する。この場合、梁１と桁６とが平行になっており、平行連結具４を四箇所に取り付けて梁１と桁６とを連結してある（図９）。図１２及び図１３に示すように、平行連結具４は、桁固定具１００と、垂木固定具１１０とを組み合わせたものである。桁固定具１００は、平板部１０１と、鉤状の爪部１０２とを有する。また、垂木固定具１１０は、平板を三回直角に折り曲げた形状で、梁１の側面に当接する垂直面１１１と、垂木７の下面に当接する水平面１１２とを有する。そして、桁６の下面には、長手方向の全長にわたって溝状の桁下面取付部６３が形成してある。また、桁６の側面には、桁６に直交する垂木７を連結してある。さらに、梁１の両側面上端には長手方向の全長にわたって梁側爪部１２が形成してある。これらの桁固定具１００及び垂木固定具１１０により梁１と桁６とを連結するには、まず梁１の上面に略直方体形状のスペーサ１２０を載置し、さらにその上に桁６を載置する。そして、桁固定具１００の平板部１０１を桁６の下面に当接させ、爪部１０２を梁１の外側側面の梁側爪部１２に係合させて、桁固定具１００と、桁下面取付部６３に係止させた裏板１３０とをボルト止めする。さらに、垂木固定具１１０の垂直面１１１を梁１の内側側面に当接させてネジ止めし、水平面１１２を垂木７の下面に当接させてネジ止めする。なお、桁固定具１００は、梁１の長手方向の任意の位置に取りつけることができ、かつ桁６の長手方向の任意の位置に取り付けることができる。また、垂木固定具１１０は、梁１の長手方向の任意の位置に取りつけることができる。よって、平行連結屋根３ａは、梁１の長手方向の任意の位置に取りつけることができる。さらに、本実施形態では、桁固定具１００と垂木固定具１１０とを梁１の長手方向にずらして取り付けてあるが（図１３）、両者が対向するように取り付けてもよい。
【００２２】
次に、梁１と、交差連結屋根３ｂの桁６の連結部分について説明する。この場合、梁１と桁６とが平面視して直交しており、交差連結具５を四箇所に取り付けて梁１と桁６とを連結してある（図９）。図１４及び図１５に示すように、交差連結具５は、二つの桁固定具１００を組み合わせたものである。桁固定具１００は、平行連結屋根３ａに用いたものと同じものであり、平板部１０１と、爪部１０２とを有する。また、スペーサ１２０及び裏板１３０も、平行連結屋根３ａに用いたものと同じである。桁固定具１００により梁１と桁６とを連結するには、まず梁１の上面に二つのスペーサ１２０を載置し、さらにその上に桁６を載置する。そして、二つの桁固定具１００の平板部１０１を桁６の下面に当接させ、それぞれの爪部１０２を梁１の両側面の梁側爪部１２に係合させて、桁固定具１００と、桁下面取付部６３に係止させた裏板１３０とをボルト止めする。なお、桁固定具１００は、梁１の長手方向の任意の位置に取りつけることができ、かつ桁６の長手方向の任意の位置に取り付けることができる。よって、交差連結屋根３ｂは、水平方向の任意の位置に取りつけることができる。さらに、梁１の両側面の桁固定具１００を梁１の長手方向にずらして取り付けることにより、桁６に対して梁１を傾斜させて連結できる。よって、交差連結屋根３ｂは梁１に対して平面視して傾斜させて取り付けることもできる。
【００２３】
以上のように、第二実施形態においても、第一実施形態と同様に、平行連結屋根と交差連結屋根のそれぞれの連結部分において、異なる部材は平行連結具（桁固定具と垂木固定具）と交差連結具（二つの桁固定具）のみであり、それ以外はすべて共通の部材が用いられている。よって、桁固定具と垂木固定具とを適宜選択して使用することにより、梁と桁が平行な向きと、梁と桁が平面視して交差する向きの何れの向きでも連結することができる。また、本実施形態のように、同じ梁に複数の屋根を異なる向きに取り付けることもできる。
【００２４】
なお、第一実施形態と第二実施形態とは、梁、柱及び屋根（桁）はすべて共通の部材を用いているから、平行連結具、交差連結具及びその他梁と桁の連結に必要な吊下部材などを用意すれば、第一実施形態の屋根を梁から吊り下げる場合と、第二実施形態の屋根を梁に載置する場合とを選択することができる。
【００２５】
また、第一実施形態及び第二実施形態の何れにおいても、梁１に対する屋根３の配置パターンは自在である。たとえば、図１６（ａ）〜（ｃ）は、屋根３を梁１から吊り下げた第一実施形態の場合であり、図１６（ａ）に示すように、二枚の屋根３をＴ字形に配置してもよい。また、図１６（ｂ）に示すように、平行連結屋根３ａを台形形状として、その傾斜辺に交差連結屋根３ｂが沿うように、交差連結屋根３ｂを梁１に対して傾斜させてもよい。さらに、図１６（ｃ）に示すように、同じ梁１に三枚の屋根３を取り付け、中央の屋根３を平行連結屋根３ａ、両端の屋根３を交差連結屋根３ｂとして、コ字形に配置してもよい。また、図１６（ｄ）は、屋根３を梁１に載置した第二実施形態の場合であり、図９に示した場合と同様に二枚の屋根３をＬ字形に配置したものであるが、屋根３を梁１の長手方向にずらして連結してあり、平行連結屋根３ａが梁１から突出していて、平行連結屋根３ａの下に柱２が位置している。その他、屋根３の形状を平行四辺形などにしたり、同じ梁１に四枚以上の屋根３を取り付けたりしてもよい。なお、図１６（ａ）〜（ｃ）は第一実施形態の場合を示したが、第二実施形態でも同様に配置できる。
【００２６】
本発明は、上記の実施形態に限定されない。平行連結具及び交差連結具や、その他吊下部材、桁側固定具などの構造は、梁と桁が平行な向きと、梁と桁が平面視して交差する向きの何れの向きでも連結することができるものであれば、どのようなものであってもよい。また、この組立建物は、カーポート以外に、テラスやバルコニーなどとして使用するものであってもよい。
【符号の説明】
【００２７】
１  梁
２  柱
３  屋根
４  平行連結具
５  交差連結具
６  桁
【図１】
0005530377.tif 000002
【図２】
0005530377.tif 000003
【図３】
0005530377.tif 000004
【図４】
0005530377.tif 000005
【図５】
0005530377.tif 000006
【図６】
0005530377.tif 000007
【図７】
0005530377.tif 000008
【図８】
0005530377.tif 000009
【図９】
0005530377.tif 000010
【図１０】
0005530377.tif 000011
【図１１】
0005530377.tif 000012
【図１２】
0005530377.tif 000013
【図１３】
0005530377.tif 000014
【図１４】
0005530377.tif 000015
【図１５】
0005530377.tif 000016
【図１６】
0005530377.tif 000017